【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
プレゼンテーションファイルを提示するプレゼンテーションアプリケーションを実行するコンピュータシステムにおいて、アニメーションアクションを始動するコンピュータ実行方法であって、前記方法は、
前記コンピュータシステムの処理装置が、前記プレゼンテーションファイルの提示中にメディアオブジェクトの再生が前記メディアオブジェクト内のブックマークに到達するとアニメーションアクションを始動するという要求を受信するステップと、
前記要求を受信することに応答して、前記処理装置が、前記プレゼンテーションファイルに関連するアニメーションタイムラインを定義するデータを記憶するステップであって、前記アニメーションタイムラインは、前記プレゼンテーションアプリケーションに、前記メディアオブジェクトの再生中に、前記ブックマークを検出したかどうかを判定させるように構成される、記憶するステップと、
前記メディアオブジェクトの再生中に、前記ブックマークを検出したことに応答して、前記処理装置が、前記アニメーションタイムラインを定義する前記データを、前記コンピュータシステムによって表示する視覚表現に変換することによって、前記アニメーションアクションを実行するステップと
を備えたことを特徴とするコンピュータ実行方法。
【請求項２】
前記メディアオブジェクトの再生が前記ブックマークに到達すると前記アニメーションアクションを実行するという前記要求を受信するステップは、
前記アニメーションアクションの選択を受信するステップと、
前記ブックマークに対応する、１つまたは複数の選択可能なアイテムを含むユーザインタフェースを表示するステップと、
前記ユーザインタフェース内の前記アイテムの１つの選択を、前記ブックマークとして受信するステップと
を含むことを特徴とする請求項１に記載のコンピュータ実行方法。
【請求項３】
前記処理装置が、前記アニメーションアクションを、前記アニメーションタイムラインに追加するという要求を受信するステップであって、前記アニメーションアクションは、関連する前記メディアオブジェクトについてのメディアオブジェクトアクションを始動するように構成される、受信するステップと、
前記処理装置が、前記アニメーションアクションを、前記アニメーションタイムラインに、前記アニメーションアクションを、前記アニメーションタイムラインに追加するという要求に応答して追加するステップと、
前記処理装置が、前記メディアオブジェクトアクションを、前記関連するメディアオブジェクト上で、前記アニメーションタイムラインの再生中に前記アニメーションアクションを検出したことに応答して実行するステップと
をさらに備えたことを特徴とする請求項１に記載のコンピュータ実行方法。
【請求項４】
前記メディアオブジェクトアクションは、前記メディアオブジェクト内のブックマークで前記メディアオブジェクトの再生を停止するアクションを含むことを特徴とする請求項３に記載のコンピュータ実行方法。
【請求項５】
前記メディアオブジェクトアクションは、前記メディアオブジェクト内のブックマークで前記メディアオブジェクトの再生を開始するアクションを含むことを特徴とする請求項３に記載のコンピュータ実行方法。
【請求項６】
前記メディアオブジェクトアクションは、前記メディアオブジェクト内のブックマークで前記メディアオブジェクトの再生を一時停止するアクションを含むことを特徴とする請求項３に記載のコンピュータ実行方法。
【請求項７】
プレゼンテーションファイルを提示するプレゼンテーションアプリケーションを実行するコンピュータシステムにおいて、メディアオブジェクトアクションを始動するコンピュータ実行方法であって、前記方法は、
前記コンピュータシステムの処理装置が、アニメーションアクションを、前記プレゼンテーションファイルに関連するアニメーションタイムラインに追加するという要求を受信するステップであって、前記アニメーションアクションは、関連するメディアオブジェクト内の指定したポイントで前記メディアオブジェクトアクションを始動するように構成される、受信するステップと、
前記要求に応答して、前記処理装置が、前記アニメーションアクションを、前記アニメーションタイムラインに追加するステップであって、前記アニメーションタイムラインは、前記プレゼンテーションアプリケーションに、
前記プレゼンテーションファイルの提示中に前記アニメーションアクションを検出したかどうかを判定させ、
前記メディアオブジェクトアクションを、前記関連するメディアオブジェクト上で、前記アニメーションタイムラインの再生中に前記アニメーションアクションを検出したことに応答して実行させる
ように構成される、追加するステップと
を備えたことを特徴とするコンピュータ実行方法。
【請求項８】
前記メディアオブジェクトアクションは、前記指定したポイントで前記メディアオブジェクトの再生を停止するアクションを含むことを特徴とする請求項７に記載のコンピュータ実行方法。
【請求項９】
前記メディアオブジェクトアクションは、前記指定したポイントで前記メディアオブジェクトの再生を開始するアクションを含むことを特徴とする請求項７に記載のコンピュータ実行方法。
【請求項１０】
前記メディアオブジェクトアクションは、前記指定したポイントで前記メディアオブジェクトの再生を一時停止するアクションを含むことを特徴とする請求項７に記載のコンピュータ実行方法。
【請求項１１】
前記処理装置が、前記メディアオブジェクトの再生が第２のポイントに到達すると第２のアニメーションアクションを始動するという要求を受信するステップと、
前記第２のアニメーションアクションを始動するという要求を受信することに応答して、前記処理装置が、前記メディアオブジェクトの再生が前記第２のポイントに到達すると前記第２のアニメーションアクションを実行するように構成されるアニメーションタイムラインを作成するステップと、
前記処理装置が、前記メディアオブジェクトの再生中に前記第２のポイントを検出したかどうかを判定するステップと、
前記メディアオブジェクトの再生中に前記第２のポイントを検出したことに応答して、前記処理装置が、前記第２のアニメーションアクションを実行するステップと
をさらに備えたことを特徴とする請求項１０に記載のコンピュータ実行方法。
【請求項１２】
前記メディアオブジェクトの再生が前記第２のポイントに到達すると前記第２のアニメーションアクションを始動するという前記要求を受信するステップは、
前記アニメーションアクションの選択を受信するステップと、
前記メディアオブジェクトについて定義されたポイントに対応する、１つまたは複数の選択可能なアイテムを含むユーザインタフェースを表示するステップと、
前記ユーザインタフェース内の前記アイテムの１つの選択を、前記第２のポイントとして受信するステップと
を含むことを特徴とする請求項１１に記載のコンピュータ実行方法。
【請求項１３】
前記ポイントは、ブックマークを含むことを特徴とする請求項１２に記載のコンピュータ実行方法。
【請求項１４】
前記要求は、順方向トリガに対する第１の要求と、逆方向トリガに対応する第２の要求とを含み、前記順方向トリガは、前記メディアオブジェクトの再生が指定した位置に到達したことに応答して、前記アニメーションアクションを始動させるトリガを含み、前記逆方向トリガは、前記アニメーションタイムライン内の指定した位置に到達したことに応答して、メディアオブジェクトアクションを始動させるトリガを含むことを特徴とする請求項１に記載のコンピュータ実行方法。
【請求項１５】
プレゼンテーションファイルを提示するプレゼンテーションアプリケーションを実行するコンピュータシステムにおいて、メディアオブジェクトアクションを始動する方法を前記コンピュータシステムに実行させるコンピュータ実行可能命令を有するコンピュータ可読記憶媒体であって、前記方法は、
前記コンピュータシステムの処理装置が、アニメーションアクションを、前記プレゼンテーションファイルに関連するアニメーションタイムラインに追加するという要求を受信するステップであって、前記アニメーションアクションは、関連するメディアオブジェクト内の指定したポイントで前記メディアオブジェクトアクションを始動するように構成される、受信するステップと、
前記要求に応答して、前記処理装置が、前記アニメーションアクションを、前記アニメーションタイムラインに追加するステップであって、前記アニメーションタイムラインは、前記プレゼンテーションアプリケーションに、
前記プレゼンテーションファイルの提示中に前記アニメーションアクションを検出したかどうかを判定させ、
前記メディアオブジェクトアクションを、前記関連するメディアオブジェクト上で、前記アニメーションタイムラインの再生中に前記アニメーションアクションを検出したことに応答して実行させる
ように構成される、追加するステップと
を備えたことを特徴とするコンピュータ可読記憶媒体。